(57)【要約】【課題】  繋ぎ編集記録時に、フィールド交番エラーやフィールド抜けのない、連続的な圧縮符号化ストリームを生成することを課題とする。【解決手段】  フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録装置であって、記録媒体への記録開始を指示するための指示手段と、記録開始指示を受けると、第１の特定フレームを圧縮符号化ストリームの表示順の先頭フレームとして記録媒体へ記録する記録手段とを有し、第１の特定フレームは、フィールドパリティ及び冗長フィールドの有無を基に決定される画像記録装置が提供される。【選択図】        図６
2007043417.tif 000002
【特許請求の範囲】
【請求項１】
フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録装置であって、
記録媒体への記録開始を指示するための指示手段と、
前記記録開始指示を受けると、第１の特定フレームを圧縮符号化ストリームの表示順の先頭フレームとして記録媒体へ記録する記録手段とを有し、
前記第１の特定フレームは、フィールドパリティ及び冗長フィールドの有無を基に決定されることを特徴とする画像記録装置。
【請求項２】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記第１の特定フレームは、３０フレーム／秒のインターレース形式又は３０フレーム／秒のプログレッシブ形式であるときにはトップフィールドファーストのフレームであり、２４フレーム／秒のプログレッシブ形式を２−３プルダウンしたものであるときにはトップフィールドファーストであり、かつ冗長フィールド有りのフレームであることを特徴とする請求項１記載の画像記録装置。
【請求項３】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記第１の特定フレームは、３０フレーム／秒のインターレース形式又は３０フレーム／秒のプログレッシブ形式であるときにはボトムフィールドファーストのフレームであり、２４フレーム／秒のプログレッシブ形式を２−３プルダウンしたものであるときにはボトムフィールドファーストであり、かつ冗長フィールド有りのフレームであることを特徴とする請求項１記載の画像記録装置。
【請求項４】
前記指示手段は、記録媒体への記録終了を指示することが可能であり、
前記記録手段は、前記記録終了指示を受けると、第２の特定フレームを圧縮符号化ストリームの表示順の最終フレームとして記録媒体へ記録し、
前記第２の特定フレームは、フィールドパリティ及び冗長フィールドの有無を基に決定されることを特徴とする請求項１〜３のいずれか１項に記載の画像記録装置。
【請求項５】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記第２の特定フレームは、３０フレーム／秒のインターレース形式又は３０フレーム／秒のプログレッシブ形式であるときにはトップフィールドファーストのフレームであり、２４フレーム／秒のプログレッシブ形式を２−３プルダウンしたものであるときにはトップフィールドファーストであり、かつ冗長フィールド無しのフレームであることを特徴とする請求項４記載の画像記録装置。
【請求項６】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記第２の特定フレームは、３０フレーム／秒のインターレース形式又は３０フレーム／秒のプログレッシブ形式であるときにはボトムフィールドファーストのフレームであり、２４フレーム／秒のプログレッシブ形式を２−３プルダウンしたものであるときにはボトムフィールドファーストであり、かつ冗長フィールド無しのフレームであることを特徴とする請求項４記載の画像記録装置。
【請求項７】
フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録装置であって、
記録媒体への記録終了を指示するための指示手段と、
前記記録終了指示を受けると、特定フレームを圧縮符号化ストリームの表示順の最終フレームとして記録媒体へ記録する記録手段とを有し、
前記特定フレームは、フィールドパリティ及び冗長フィールドの有無を基に決定されることを特徴とする画像記録装置。
【請求項８】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記特定フレームは、３０フレーム／秒のインターレース形式又は３０フレーム／秒のプログレッシブ形式であるときにはトップフィールドファーストのフレームであり、２４フレーム／秒のプログレッシブ形式を２−３プルダウンしたものであるときにはトップフィールドファーストであり、かつ冗長フィールド無しのフレームであることを特徴とする請求項７記載の画像記録装置。
【請求項９】
前記記録手段は、３０フレーム／秒のインターレース形式、３０フレーム／秒のプログレッシブ形式、及び２４フレーム／秒のプログレッシブ形式を２−３プルダウンしたものを記録可能であり、
前記特定フレームは、３０フレーム／秒のインターレース形式又は３０フレーム／秒のプログレッシブ形式であるときにはボトムフィールドファーストのフレームであり、２４フレーム／秒のプログレッシブ形式を２−３プルダウンしたものであるときにはボトムフィールドファーストであり、かつ冗長フィールド無しのフレームであることを特徴とする請求項７記載の画像記録装置。
【請求項１０】
フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録方法であって、
記録媒体への記録開始を指示する指示ステップと、
前記記録開始指示を受けると、特定フレームを圧縮符号化ストリームの表示順の先頭フレームとして記録媒体へ記録する記録ステップとを有し、
前記特定フレームは、フィールドパリティ及び冗長フィールドの有無を基に決定されることを特徴とする画像記録方法。
【請求項１１】
フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録方法であって、
記録媒体への記録終了を指示する指示ステップと、
前記記録終了指示を受けると、特定フレームを圧縮符号化ストリームの表示順の最終フレームとして記録媒体へ記録する記録ステップとを有し、
前記特定フレームは、フィールドパリティ及び冗長フィールドの有無を基に決定されることを特徴とする画像記録方法。
【発明の詳細な説明】
【技術分野】
【０００１】
本発明は、画像記録装置及び方法に関する。
【背景技術】
【０００２】
従来、撮影した画像信号を磁気テープに記録するビデオカメラが知られている。また、近年では、撮影した画像信号をＭＰＥＧ(Moving Picture Experts Group)方式で符号化して記録するビデオカメラも登場している。
【０００３】
一般に、この種のビデオカメラにおいては、ＮＴＳＣ方式に従う６０フィールド／秒の画像信号を撮影、記録している。また、この様な６０フィールド／秒の画像信号の他、映画の様な２４コマ（フレーム）の画像信号を撮影し、これを６０フィールドの画像信号に変換して記録する機能を備えるビデオカメラも登場している。
【０００４】
この様に映画等のフィルムソースをインターレースビデオ信号に変換する手段として、２−３プルダウンという手法が広く用いられている。すなわち、フィルムは秒間２４コマであるのに対し、ビデオが毎秒３０フレーム（６０フィールド）であるため、２−３プルダウンによりフィールド数変換を行う。具体的には図１に示すように、1フレーム毎に冗長フィールド（以下、リピートフィールドという）を挟むことで、フィールド数変換を行う。
【０００５】
このように、２−３プルダウンされたビデオ信号は、1フレーム毎にリピートフィールドを挟むため、２フレーム毎にトップフィールドから開始されるフレームと、ボトムフィールドから開始されるフレームが入れ替わる。
【０００６】
一方、通常の６０フィールドインターレースのビデオ信号をＭＰＥＧで記録する場合、通常トップフィールドから２フィールドを１フレームとして符号化するため、すべてのフレームがトップフィールドから始まるフレームとなる。
【０００７】
図２に示すように、ビデオカメラにおいて、２−３プルダウンして符号化したＭＰＥＧデータと、通常の６０フィールドの画像信号を符号化したＭＰＥＧデータとを、テープ上で繋ぎ記録しようとした場合を考える。その場合、接続するフレームによってはトップフィールドが連続するフィールド交番エラーとなり、再生時に画像が乱れてしまうことがある。
【０００８】
この解決方法として、たとえば特許文献１などが提案されている。特許文献１では、圧縮符号化単位をフィールド単位とし、符号化開始フィールドと終了フィールドを規定することから、ストリームの繋ぎ編集記録を実現するものである。
【０００９】
【特許文献１】特開平９−１２１３６０号公報
【発明の開示】
【発明が解決しようとする課題】
【００１０】
しかしながら、図３に示すように、特許文献１の装置では、符号化順にトップ・ボトムフィールドの順序を規定しているため、現実的に２−３プルダウンして符号化したＭＰＥＧとの繋ぎ編集記録を実現できない。繋ぎ編集記録の部分において、フィールド抜けが発生してしまう。また、図４に示すように、リピートフィールドに関する規定がないため、繋ぎポイントにおいて通常では発生しないデコード時間が発生する。領域４０１では、通常の６０フィールドインターレースにもかかわらずデコード時間が３フィールド分必要とする。このようなストリームは符号化及び復号化の段階で、様々な問題を発生させ易い。以上のような理由から、このような繋ぎ記録を許さないフォーマットとすることも考えられるが、特許文献１の装置では、この様な種々のフォーマット規格に対応、あるいは、符号化及び復号化に問題のない記録装置を提供することができなかった。
【００１１】
本発明の目的は、繋ぎ編集記録時に、フィールド交番エラーやフィールド抜けのない、連続的な圧縮符号化ストリームを生成することである。
【課題を解決するための手段】
【００１２】
本発明の画像記録装置は、フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録装置であって、記録媒体への記録開始を指示するための指示手段と、前記記録開始指示を受けると、第１の特定フレームを圧縮符号化ストリームの表示順の先頭フレームとして記録媒体へ記録する記録手段とを有し、前記第１の特定フレームは、フィールドパリティ及び冗長フィールドの有無を基に決定されることを特徴とする。
【００１３】
また、本発明の画像記録装置は、フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録装置であって、記録媒体への記録終了を指示するための指示手段と、前記記録終了指示を受けると、特定フレームを圧縮符号化ストリームの表示順の最終フレームとして記録媒体へ記録する記録手段とを有し、前記特定フレームは、フィールドパリティ及び冗長フィールドの有無を基に決定されることを特徴とする。
【００１４】
また、本発明の画像記録方法は、フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録方法であって、記録媒体への記録開始を指示する指示ステップと、前記記録開始指示を受けると、特定フレームを圧縮符号化ストリームの表示順の先頭フレームとして記録媒体へ記録する記録ステップとを有し、前記特定フレームは、フィールドパリティ及び冗長フィールドの有無を基に決定されることを特徴とする。
【００１５】
また、本発明の画像記録方法は、フレーム内符号化ピクチャ、順方向予測符号化ピクチャ及び両方向予測符号化ピクチャのうちの少なくとも一つが含まれる圧縮符号化ビットストリームを記録媒体へ記録可能な画像記録方法であって、記録媒体への記録終了を指示する指示ステップと、前記記録終了指示を受けると、特定フレームを圧縮符号化ストリームの表示順の最終フレームとして記録媒体へ記録する記録ステップとを有し、前記特定フレームは、フィールドパリティ及び冗長フィールドの有無を基に決定されることを特徴とする。
【発明の効果】
【００１６】
繋ぎ編集記録時に、フィールド交番エラーやフィールド抜けのない、連続的な圧縮符号化ストリームを生成するができる。
【発明を実施するための最良の形態】
【００１７】
以下、本発明の実施形態について説明する。図５は本発明の実施形態の一例を示す画像記録装置の構成例のブロック図である。この画像記録装置は、たとえば撮像素子から得られた情報をデジタル化した映像信号を入力すると、いわゆるＭＰＥＧ２方式に基づいて圧縮符号化し、磁気記録テープ等のシーケンシャルアクセス可能な記録媒体に記録可能な装置である。画像記録装置は、Ｉピクチャ、Ｐピクチャ及びＢピクチャのうちの少なくとも１つが含まれる圧縮符号化ビットストリームを記録媒体へ記録可能である。
【００１８】
Ｉピクチャは、フレーム符号化ピクチャであり、そのフレーム画像だけで符号化する画像である。Ｐピクチャは、順方向予測符号化ピクチャであり、過去のＩピクチャ又はＰピクチャのフレームを予測画像としてその差信号を符号化する画像である。Ｂピクチャは、両方向予測符号化ピクチャであり、過去及び未来のフレームの両方を予測画像としてその差信号を符号化する画像である。
【００１９】
５００は映像信号を入力するための入力端であり、３０フレーム／秒のプログレッシブ形式、３０フレーム／秒のインターレース形式、２４フレーム／秒のプログレッシブ形式を２−３プルダウンした形式のうち、いずれかの映像信号が入力される。以下、３０フレーム／秒のプログレッシブ形式を「３０ｐ」、３０フレーム／秒のインターレース形式を「６０ｉ」、２４フレーム／秒のプログレッシブ形式を２−３プルダウンした形式を「２４ｐ」という。５０１は入力された映像信号から後述にて説明する手法によりRepeat_first_field及びTop_field_firstを検出する冗長フィールド検出部である。５０２は冗長フィールド検出部５０１が検出したRepeat_first_fieldに基づき冗長フィールドを削除する冗長フィールド削除部である。スキャンコンバータ５０３は入力された映像信号を所定の符号化処理単位に変換し、これを入力フレームデータとして圧縮符号部５０５へ提供する。圧縮符号部５０５は受け取った入力フレームデータを圧縮符号化し、ＭＰＥＧ２ストリームを生成する。５０５はこのＭＰＥＧ２ストリームを記録する記録媒体である。コントローラ５０４は、これら各ブロックの全体を制御するものとする。具体的には、コントローラ５０４は、冗長フィールド検出部５０１からTop_field_first及びRepeat_first_fieldを入力し、スキャンコンバータ５０３からフレーム開始タイミングを入力し、圧縮符号化部５０５に符号化タイプ指定データを出力する。記録媒体５０６には、３０ｐ、６０ｉ及び２４ｐを記録可能である。
【００２０】
冗長フィールド検出部５０１における冗長フィールドの検出について説明する。冗長フィールド検出部５０１は、２フィールド前の映像信号を記憶しており、現在入力されるフィールドとの等しさを検出し、例えばこの２フィールド間の画素の差分値の絶対値が所定の閾値より小さければ、そのフィールドは同じフィールドパリティの冗長フィールドであると判断し、Repeat_first_field =1 とする。上記の差分値の絶対値が閾値より大きければ、冗長フィールドがないと判断し、Repeat_first_field = 0 とする。
【００２１】
ＭＰＥＧ２では、各フレームのヘッダは、Top_field_firstの情報を有する。Top_field_firstは、そのフレームを表示する場合に、トップフィールド及びボトムフィールドのどちらを先に出力するかを示すフラグである。Top_field_firstが「１」のときは、トップフィールドファーストであり、トップフィールドを先に表示する。Top_field_firstが「０」のときは、ボトムフィールドファーストであり、ボトムフィールドを先に表示する。
【００２２】
次に記録動作について例として図６を用いて説明する。図６のステップＳ６０１において映像信号入力端５００に映像信号が入力されている状態で、図示しないユーザインターフェースから記録媒体への記録開始が指示される。すると、ステップＳ６０２において、後述する記録を開始すべき特定フレームに到達するまで符号化を見送る。記録を開始すべき特定フレームに到達すると、ステップＳ６０３において当該フレームから継続的に圧縮符号化を行って記録媒体へ記録する。符号化している状態で、ステップＳ６０４において記録終了が指示されると、後述する記録を終了するべき特定フレームに到達するまで符号化を続けて記録媒体へ記録する。ステップＳ６０５において記録終了すべきフレームに到達すると符号化を終了し、ステップＳ６０６において符号化処理を終了する。図７はこのフローチャートを用いて生成されるＭＰＥＧストリームのイメージ図である。
【００２３】
次に、符号化を開始すべきフレームの決定について図８を用いて説明する。図８はTop_field_first = 1の６０ｉ又は３０ｐのストリームから２４ｐへの繋ぎ記録したストリームのイメージ図である。図８（Ａ）は表示順でTop_field_first = 1 且つ Repeat_first_field = 1への繋ぎ編集記録を行ったものであるが、これはフィールドの連続性等に問題がなく、繋ぎ記録が可能である。即ち、図８（Ａ）では、２４ｐデータは、表示順で、トップフィールドから表示されており、再生時にも問題無く表示される。
【００２４】
また、符号順で、Top_field_first = 0 且つ Repeat_first_field = 1のＩピクチャから記録を開始している。そのため、このＩピクチャは再生時には３フィールド期間表示されることになる。この際、ＭＰＥＧデータ中では、３番目のボトムフィールドのデータは１フィールド目のボトムフィールドのデータのコピーピクチャとなっており、デコードに要する時間は実質的に２フィールド期間で済む。
【００２５】
また、つなぎ位置の直前の６０ｉデータにおける最後のＢピクチャのデータの表示期間も２フィールドである。そのため、つなぎ部分において、この最後のＢピクチャを表示している間に２４ｐデータの先頭のＩピクチャのデータをデコードすることができる。
【００２６】
また、符号順で、先頭のＩピクチャに続く二つのＢピクチャは、それぞれ、３フィールド、２フィールドのデータであり、この２４ｐデータは、符号順でも、２フィールド、３フィールド、２フィールドの順で繰り返すことになり、やはり、問題は発生しない。
【００２７】
図８（Ｂ）は表示順でTop_field_first = 1 且つ Repeat_first_field = 0への繋ぎ編集記録を行ったものである。
【００２８】
この場合、表示順ではトップフィールドから表示されており、再生時にも問題無く表示される。これに対し、符号順では、２フィールド、２フィールド、３フィールドと続くことになり、２−３プルダウンのシーケンスが崩れる個所が発生するため、繋ぎ記録の開始フレームとしては好ましくない。
【００２９】
図８（Ｃ）は表示順でTop_field_first = 0 且つ Repeat_first_field = 1への繋ぎ編集記録を行ったものであるが、これは符号化されたストリームの先頭でフィールド抜け（フィールド交番エラー）が発生するため、繋ぎ編集記録としては好ましくない。
【００３０】
図８（Ｄ）は表示順でTop_field_first = 0 且つ Repeat_first_field = 0への繋ぎ編集記録を行ったものであるが、これは符号化されたストリームの先頭でフィールド抜け（フィールド交番エラー）が発生するため、繋ぎ編集記録としては好ましくない。
【００３１】
また、６０ｉ又は３０ｐのストリームから６０ｉ又は３０ｐのストリームへの繋ぎ編集記録の場合は、単にフィールド抜けが発生しないよう、同じTop_field_firstを持つように符号化すれば良い。２４ｐのストリームから２４ｐのストリームへの繋ぎ編集記録は、単に２−３プルダウンの連続性を表示順で守るよう符号化開始フレームを決定すれば良い。
【００３２】
次に、符号化を終了すべきフレームの決定について図９を用いて説明する。図９は２４ｐ からTop_field_first = 1の６０ｉ又は３０ｐのストリームへの繋ぎ編集記録したストリームのイメージ図である。図９（Ａ）は表示順でTop_field_first = 1 且つ Repeat_first_field = 1からの繋ぎ編集記録を行ったものであるが、これは符号化されたストリームの先頭でフィールド抜け（フィールド交番エラー）が発生するため、繋ぎ編集記録としては好ましくない。図９（Ｂ）は表示順でTop_field_first = 1 且つ Repeat_first_field = 0への繋ぎ編集記録を行ったものであるが、これはフィールドの連続性等に問題がなく、繋ぎ編集記録が可能である。図９（Ｃ）は表示順でTop_field_first = 0 且つ Repeat_first_field = 1への繋ぎ編集記録を行ったものであるが、６０ｉ又は３０ｐのストリームの先頭に復号化時間が３フィールドに相当する例外的なフレームが発生するため、繋ぎ編集記録としては好ましくない。図９（Ｄ）は表示順でTop_field_first = 0 且つ Repeat_first_field = 0への繋ぎ編集記録を行ったものであるが、これは符号化されたストリームの先頭でフィールド抜け（フィールド交番エラー）が発生するため、繋ぎ編集記録としては好ましくない。
【００３３】
また、６０ｉ又は３０ｐのストリームから６０ｉ又は３０ｐのストリームへの繋ぎ編集記録の場合は、単にフィールド抜けが発生しないよう同じTop_field_firstを持つように符号化すれば良い。２４ｐのストリームから２４ｐのストリームへの繋ぎ編集記録は、単に２−３プルダウンの連続性を表示順で守るよう符号化終了フレームを決定すれば良い。
【００３４】
なお、ＭＰＥＧでは符号化終了が表示順ではI／Pピクチャで終了していなければ、すべてのフレームを復号することはできない。従って、実際には符号化を終了する所定のピクチャがI／Pピクチャになるよう符号化する必要がある。本実施形態では図７のように符号化終了フレームがI／Pピクチャであり、Top_field_first = 0 且つ Repeat_first_field = 1であるフレームを符号化終了フレームとしている。
【００３５】
以上のような理由から、６０ｉ及び３０ｐをTop_field_first = 1として記録・符号化開始する一般的な記録装置においては、２４ｐ の符号化開始フレームをTop_field_first = 1 且つ Repeat_first_field = 1（図８（Ａ））とする。そして、符号化終了フレームをTop_field_first = 1 且つ Repeat_first_field = 0（図９（Ｂ））とすることで、６０ｉ／３０ｐ／２４ｐいずれの繋ぎ編集記録も可能となる。
【００３６】
すなわち、圧縮符号化ストリームの表示順の先頭フレームは、６０ｉ又は３０ｐであるときにはトップフィールドファースト（Top_field_first = 1）のフレームであり、２４ｐであるときにはトップフィールドファースト（Top_field_first = 1）であり、かつ冗長フィールド有り（Repeat_first_field = 1）のフレームである。
【００３７】
また、圧縮符号化ストリームの表示順の最終フレームは、６０ｉ又は３０ｐであるときにはトップフィールドファースト（Top_field_first = 1）のフレームであり、２４ｐであるときにはトップフィールドファースト（Top_field_first = 1）であり、かつ冗長フィールド無し（Repeat_first_field = 0）のフレームである。
【００３８】
また、６０ｉ及び３０ｐをTop_field_first = 0 として記録・符号化開始する一般的な記録装置においては、２４ｐ の符号化開始フレームをTop_field_first = 0 且つ Repeat_first_field = 1とする。そして、符号化終了フレームをTop_field_first = 0 且つ Repeat_first_field = 0とすることで、６０ｉ／３０ｐ／２４ｐいずれの繋ぎ編集記録も可能となる。
【００３９】
すなわち、圧縮符号化ストリームの表示順の先頭フレームは、６０ｉ又は３０ｐであるときにはボトムフィールドファースト（Top_field_first = 0）のフレームであり、２４ｐであるときにはボトムフィールドファースト（Top_field_first = 0）であり、かつ冗長フィールド有り（Repeat_first_field = 1）のフレームである。
【００４０】
また、圧縮符号化ストリームの表示順の最終フレームは、６０ｉ又は３０ｐであるときにはボトムフィールドファースト（Top_field_first = 0）のフレームであり、２４ｐであるときにはボトムフィールドファースト（Top_field_first = 0）であり、かつ冗長フィールド無し（Repeat_first_field = 0）のフレームである。
【００４１】
以上のように、圧縮符号化ストリームの表示順の先頭フレーム及び最終フレームは、フィールドパリティ（トップフィールド又はボトムフィールド）及び冗長フィールドの有無を基に決定される。
【００４２】
なお、本実施形態では最後に圧縮符号化したストリームと、次に圧縮符号化するストリームの繋ぎ編集記録について説明したが、これに限定されない。記録媒体上の任意の圧縮符号化ストリームとの繋ぎ編集記録を実現する場合、Repeat_first_field及びTop_field_firstが所定の値となるフレームを繋ぎポイントとして選択する。そして、当該フレームにおける繋ぎ記録の対象とするストリームの、Presentation Time Stamp(ＰＴＳ)及びDecode Time Stamp(ＤＴＳ)、ＶＢＶバッファの使用量を示すVBV_DELAYを予め記録媒体から取得する。そして、これらの値を基に圧縮符号化を開始することで、実現可能である。
【００４３】
また、本実施形態では、Repeat_first_field及び、Top_field_firstの値を冗長フィールド検出部５０１で検出し、それを基に圧縮符号化したが、これに限定されない。映像信号入力端５００に出力している、図示しない映像信号生成手段とコントローラ５０４との通信手段を設け、映像信号生成手段から直接コントローラ５０４へ通知してもよい。
【００４４】
また、本実施形態では、最終記録フレームの制御を圧縮符号器で行い、圧縮符号化したストリームの全てを記録媒体に記録しているが、圧縮符号化したストリームの一部のみを記録媒体に記録しても良い。この場合は、記録媒体へ記録する際、所定のフレームが表示順で最終フレームとなるよう、記録媒体への書き込み時に制御する。また、所定のフレーム以降を終了フラグに加工して記録媒体へ記録しても良い。
【００４５】
本実施形態の画像記録装置によれば、６０ｉ及び、３０ｐ及び、２４ｐのいずれの形式の圧縮符号化ビットストリームであっても、繋ぎ編集記録可能な画像記録装置を提供できる。また、圧縮符号化ストリームの表示順の先頭フレームを特定フレームに決定することにより、繋ぎ編集記録時にフィールド交番エラーやフィールド抜けのない、連続的なストリームを生成することができる。また、圧縮符号化ストリームの表示順の最終フレームを特定フレームに決定することにより、繋ぎポイントにおいて、通常発生しないようなデコード時間の発生を抑止でき、一般のデコーダでデコードの保証可能な繋ぎ編集記録ストリームを生成することができる。
【００４６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００４７】
【図１】２−３プルダウンを説明する図である。
【図２】繋ぎ編集記録時のフィールド交番エラーを説明する図である。
【図３】特許文献１で繋ぎ編集記録時にエラーが発生する一例を説明する図である。
【図４】特許文献１で繋ぎ編集記録時にエラーが発生する一例を説明する図である。
【図５】本発明の実施形態による画像記録装置の構成例を示すブロック図である。
【図６】記録動作を説明するフローチャートである。
【図７】２４ｐの符号化・復号化を説明する図である。
【図８】６０ｉ／３０ｐ → ２４ｐ の繋ぎポイントを説明する図である。
【図９】２４ｐ → ６０ｉ／３０ｐの繋ぎポイントを説明する図である。
【符号の説明】
【００４８】
５００  入力端
５０１  冗長フィールド検出部
５０２  冗長フィールド除去部
５０３  スキャンコンバータ
５０４  コントローラ
５０５  圧縮符号化部
５０６  記録媒体
【図１】
2007043417.tif 000003
【図２】
2007043417.tif 000004
【図３】
2007043417.tif 000005
【図４】
2007043417.tif 000006
【図５】
2007043417.tif 000007
【図６】
2007043417.tif 000008
【図７】
2007043417.tif 000009
【図８】
2007043417.tif 000010
【図９】
2007043417.tif 000011